(57)【要約】【課題】ニクロム線を不必要な高温度で赤熱させる電熱ヒータ装置に付随して発生する、やけど、火災、または保温対象が高温劣化する等の弊害を解消する。【解決手段】保温対象に装着して保温対象を所望の温度に保温する必要最低限の発熱温度に設定された電線状の発熱体を具備してなる電熱ヒータ装置であって、発熱体は発熱温度が得られる消費電力となるように電源電圧と抵抗値の関係を有すると共に、保温対象の広範囲に発熱させるように発熱体を均等に配設して均等な低発熱を得る。また、発熱体は良導体で構成され、発熱温度を２２０度Ｃ以下に設定した。さらに発熱体としてエナメルまたはホルマル等により絶縁被覆された銅またはアルミニウム材を用い、この発熱体を保温対象に蛇行装着、織り込み装着、または巻装した。このような電熱ヒータ装置をホット座布団、ホットカーペット、パネルヒータ、融雪屋根、ロードヒーティングに応用した。【選択図】図２
0003127749.tif 000002
【実用新案登録請求の範囲】
【請求項１】
保温対象に装着して前記保温対象を所望の温度に保温する必要最低限の発熱温度に設定された電線状の発熱体を具備してなる電熱ヒータ装置であって、
前記発熱体は前記発熱温度が得られるような消費電力となるように電源電圧と抵抗値の関係を有すると共に、前記保温対象の広範囲に発熱させるように前記発熱体を均等に配設したことを特徴とする電熱ヒータ装置。
【請求項２】
前記発熱体は絶縁被覆された銅またはアルミニウムを主成分とする良導体で構成され、
前記発熱温度を２２０度Ｃ以下に設定したことを特徴とする請求項１に記載の電熱ヒータ装置。
【請求項３】
前記発熱体はエナメル線またはホルマル線であり、
前記発熱体を前記保温対象に蛇行装着、織り込み装着、または巻装したことを特徴とする請求項１または請求項２に記載の電熱ヒータ装置。
【請求項４】
ホット座布団、ホットカーペット、パネルヒータ、融雪屋根、またはロードヒーティングに用いたことを特徴とする請求項１または請求項４の何れか１項に記載の電熱ヒータ装置。
【考案の詳細な説明】
【技術分野】
【０００１】
本考案は、寒冷環境で保温等に用いる電熱ヒータ装置に関し、特に保温対象の広範囲をまんべんなくおだやかに加熱するようにした簡素で安全かつ安価な電熱ヒータ装置に関する。
【背景技術】
【０００２】
電熱ヒータの電気抵抗値があまり正確でなく、あるいは電熱ヒータの劣化等によりその電気抵抗値が変化しても、所要の発熱量を得ることができ、しかも正確な温度調節を行うことのできる電熱ヒータ装置および製造時において製品歩留の良好な電熱ヒータを提供する電熱ヒータ装置および同装置用電熱ヒータの製造方法が知られている（特許文献１）。
【０００３】
具体的には、電圧が印加されることにより発熱する電熱ヒータと、この電熱ヒータへ発熱用の電力を供給する制御装置とを備え、同制御装置は前記発熱部材へ一定電圧の直流電圧を印加し、しかも前記電熱ヒータの適所に設けた温度センサにより検知される温度に応じて前記直流電圧を断続的に印加することにより、発熱部材へ単位時間当たり所要量の電力を供給して、電熱ヒータの温度が所定温度に保たれるように構成したものである。
【０００４】
一方、クリーン度の向上、ヒータ熱輻射効率の向上およびサイズの設計自由化を可能とした電熱ヒータ構造とその製造方法も知られている（特許文献２）。具体的には、板状の断熱体に、一方の板面から電熱コイルを嵌め込める溝部と、この溝部に連通すると共にコイル嵌め込み深さを規制し、かつコイルの熱を他方の板面から外部に放出する放熱溝と、前記溝部の内面に設けた電熱コイルの受容部とでなる複数の貫通溝穴を形成し、板状断熱体の電熱コイル嵌め込み側に断熱体を蓋体として重ね合わせて構成したものである。
【０００５】
また、電熱ヒータの応用形態には、防寒・暖房器具として広く普及している電気毛布、ホットカーペット、パネルヒータ等のほか、特に寒冷地域における凍結防止・融雪手段として、ロードヒーティング、融雪屋根等が知られている。これらの電熱ヒータには、局部的に千度前後の高温に達する発熱電線としてニクロム線を採用していることが多い。
【０００６】
【特許文献１】特開２００１−１９５１３５（［０００９］〜［００１３］，図１）
【特許文献２】特開２００１−２７３９７３（［０００４］〜［０００８］，全図）
【考案の開示】
【考案が解決しようとする課題】
【０００７】
しかし、実際の防寒・暖房用として人の体温前後の温度を維持するか、あるいは、氷点温度をいくらか上回ることにより凍結防止・融雪手段として機能すれば足りることが多い。それにもかかわらず、ニクロム線を不必要な高温度で赤熱させる電熱ヒータ装置の場合、ユーザへの安全対策も含めた周囲への配慮として、やけど、火災、または保温対象が高温劣化する等の弊害に対応するための耐熱設計を必要とする課題がある。
【０００８】
そこで、本考案は前記課題を解決し、不必要な高温がもたらす弊害に対抗するための耐熱設計を不要とし、かさばらず簡素で安全かつ安価な電熱ヒータ装置を提供することを目的としている。
【課題を解決するための手段】
【０００９】
前記課題を解決するために、請求項１に係る考案は、保温対象に装着して前記保温対象を所望の温度に保温する必要最低限の発熱温度に設定された電線状の発熱体を具備してなる電熱ヒータ装置であって、前記発熱体は前記発熱温度が得られるような消費電力となるように電源電圧と抵抗値の関係を有すると共に、前記保温対象の広範囲に発熱させるように前記発熱体を均等に配設したことを特徴とする電熱ヒータ装置である。
【００１０】
請求項１に係る考案によれば、電線状の発熱体が保温対象に装着されて電熱ヒータ装置を構成している。この発熱体に通電手段から通電し所望のジュール熱を発生させる。そして発熱温度は必要最低限の温度に止め、保温対象の広範囲にまんべんなく、おだやかに発熱させている。このため不必要な高温がもたらす弊害が無い。そして、発熱体と保温対象との接触部または周囲への耐熱設計を軽減できる。したがって、かさばらず簡素で安全かつ安価な電熱ヒータ装置を提供できる。
【００１１】
請求項２に係る考案は、請求項１に記載の電熱ヒータ装置において、前記発熱体は絶縁被覆された銅またはアルミニウムを主成分とする良導体で構成され、前記発熱温度を２２０度Ｃ以下に設定したことを特徴とする。
【００１２】
請求項２に係る考案によれば、発熱体を、例えば、銅またはアルミニウム等の良導体で構成しており、その発熱体の発熱温度を２２０度Ｃ以下に設定したことにより、良導体である金属により構成された発熱体自身が発火する可能性は無い。また、高温でないため、絶縁被覆材料の選択範囲が広がり、ほとんどの暖房器具、または融雪装置等に採用した場合でも、それらを構成する材料の発火点または引火点以下であり、火災の心配が少ない。なお、やけどする危険性も低い。
【００１３】
請求項３に係る考案は、請求項１または請求項２に記載の電熱ヒータ装置において、前記発熱体はエナメル線またはホルマル線であり、前記発熱体を前記保温対象に蛇行装着、織り込み装着、または巻装したことを特徴とする。
【００１４】
請求項３に係る考案によれば、エナメル線またはホルマル線は、保温対象に蛇行装着、織り込み装着、または巻装することが容易であり、しかも安価に入手できる電気材料であるため、これらを発熱体として用いれば、耐熱設計を簡素にできる利点と相俟って、かさばらず安価な電熱ヒータ装置を提供できる。
【００１５】
請求項４に係る考案は、請求項１または請求項４の何れか１項に記載の電熱ヒータ装置を、ホット座布団、ホットカーペット、パネルヒータ、融雪屋根、またはロードヒーティングに用いたことを特徴とする。
【００１６】
請求項４に係る考案によれば、各用途に最適な加熱および保温の効果があり、簡素で安全かつ安価な電熱ヒータ装置を提供できる。
【考案の効果】
【００１７】
請求項１に係る考案によれば、必要最低限の温度で保温対象を広範囲にまんべんなくおだやかな発熱をさせる用途に適し、かさばらず簡素で安全かつ安価な電熱ヒータ装置を提供できる。
【００１８】
請求項２に係る考案によれば、火災の心配が少ない。また、やけどする危険性も低い。
【００１９】
請求項３に係る考案によれば、材料が安価に入手でき、製造および施工が容易である。
【００２０】
請求項４に係る考案によれば、各用途に最適な加熱および保温の効果があり、簡素で安全かつ安価である。
【考案を実施するための最良の形態】
【００２１】
以下、図面に沿って考案の実施の形態による電熱ヒータ装置（以下、「本装置」という）を詳細に説明する。
【００２２】
［第１実施例］
図１は第１実施例とした（ａ）横断面図と、（ｂ）Ａ−Ａ線要部拡大断面図である。図１に示すように本装置を装備したホット座布団１は、電源を確保された室内外で使用し、ユーザが直接座って暖をとるものである。このホット座布団１は、座布団１ａと、この座布団１ａの内部に配設された電線状の発熱体（以下、単に「ヒータ」ともいう）１ｂから構成されている。
【００２３】
座布団部１ａは、平面方形の座布団カバー１ａ１と、その座布団カバー１ａ１で包まれた布団綿１ａ２から構成されている。ヒータ１ｂは、硬質スポンジでなる平面方形の基板１ｂ１に、エナメル線、ホルマル線等の絶縁被覆銅線１ｂ２をコイル状に均等な間隔で巻装して構成されている。
【００２４】
そして、このヒータ１ｂは、布団綿１ａ２における中心部分に配設されている。また、ゴム材等の絶縁体でなるブッシング１ｂ３は、通電手段である電源コード１ｂ４の根元を座布団１ａの縁に安全に保持している。この電源コード１ｂ４の途中には図示せぬスイッチが介在し、先端には差し込みプラグがあり、商用電源に接続可能である。そして、ホット座布団１に装着されたヒータ１ｂは、ユーザに地良い暖かさを感じさせる必要最低限の発熱温度として４０度Ｃ近くまで上昇する。この発熱温度は消費電力により規定されるので、その消費電力Ｐとなるように電源電圧Ｖに対するヒータ１ｂの抵抗値Ｒの関係を設定されている。そして、ホット座布団１の広範囲に発熱させるようにヒータ１ｂが均等に配設されている。
【００２５】
なお、前記通電手段として、商用電源から電源トランス（図示せず）を介して、適宜変換した電圧をヒータ１ｂに給電することにより電流を制限すると、最適温度に設定することが容易である。すなわち、発熱量を規定する消費電力Ｐ＝Ｖ・Ｖ／Ｒのうち、抵抗値Ｒがヒータ１ｂの太さと長さにより定められた後に供給電圧Ｖを決定し、その供給電圧Ｖを電源トランスの１次巻線対２次巻線の巻数比によって規定すればよい。
【００２６】
本装置の場合、ヒータ１ｂには良導体を用いているため、相当の長さを確保しても全長に及ぶ抵抗値は低い。ホット座布団１においては、スポンジゴムの基板１ｂ１を巻枠にし、φ０．３５ｍｍのホルマル線（１ｂ２）を１５０回巻装してヒータ１ｂとなる抵抗Ｒが形成されている。この抵抗Ｒに対して約２４Ｖに調整した電源を供給すると最適な消費電力Ｐ＝４０Ｗ前後に設定され、その結果、最適温度の４０度Ｃ近くに設定されることが実験により確認できた。交流２４Ｖを得るには商用１００Ｖ電源から電源トランスを介して降圧するのが簡単で良い。なお、ここではヒータ１ｂのコイルＬ成分によるインピーダンス等を計算して求めるよりは、実験値の方が有用なので関連した説明を省略する。
【００２７】
一方、温度調節手段として一般的なサイリスタ等を組み込んだ電子回路を用いる周知のコントローラは高価であることに対し、ホット座布団１では比較的安価で故障の少ない電源トランスをただ１個用いて発熱量を固定している。このように簡素な固定式の発熱設定とした本考案のヒータ装置は極めて有益である。あるいは、用途に応じたヒータ１ｂの抵抗Ｒ次第では、電源トランス等を介在することなしに、商用電源１００Ｖその他の電圧Ｖを直接給電しても構わない。
【００２８】
［第２実施例］
図２は第２実施例としたホットカーペットの分解斜視図である。
図３は図２に示したホットカーペットの要部拡大断面図であり、その（ａ）Ｂ−Ｂ線要部拡大断面図と、（ｂ）Ｃ−Ｃ線要部拡大断面図である。図２、図３に示すように、本装置を装備したホットカーペット２は、室内に敷設してユーザの足もとを始めとする暖房に用いるものである。このホットカーペット２は毛布部２ａと、この毛布部２ａ内に設けられたヒータ２ｂから構成されている。
【００２９】
毛布部２ａは、上下２枚の毛布２ａ１，２ａ２からなり、これら２枚の毛布２ａ１，２ａ２は同一寸法に構成されていると共に、積層状態で周縁２ａ３、その他を適宜に縫製されている。ヒータ２ｂは、下の毛布２ａ２の上面にホルマル線、エナメル線等の絶縁被覆銅線２ｂ１を蛇行状に均等な間隔で
配設して構成されている。
【００３０】
この絶縁被覆銅線２ｂ１は、下の毛布２ａ２に所定間隔をもって縫合糸２ｂ２で点着され織り込み装着されている。ブッシング２ｂ３は、通電手段である電源コード２ｂ４の根元を毛布部２ａの縁に安全に保持している。電源コード２ｂ４の途中には図示せぬスイッチが介在し、先端には差し込みプラグがあり、商用電源に接続可能である。そして、ホットカーペット２に装着されたヒータ２ｂは、ユーザに心地良い暖かさを感じさせる必要最低限の発熱温度として３２度Ｃ近くまで上昇する。この発熱温度は消費電力により規定されるので、その消費電力Ｐとなるように電源電圧Ｖに対するヒータ２ｂの抵抗値Ｒの関係を設定されている。そして、ホットカーペット２の広範囲に発熱させるようにヒータ２ｂが均等に配設されている。
【００３１】
ホットカーペット２においては、φ０．８ｍｍの絶縁被覆銅線２ｂ１を１５ｍｍ間隔で蛇行しながら片道１．８ｍ×８８往復（×２）させて１回路のヒータ２ｂに形成した。このヒータ２ｂに商用交流１００Ｖを供給すると、札幌における冬季室内に敷設したホットカーペット２の表面近傍を３２度Ｃ近くの最適温度に安定維持できることを実験により確認できた。ただし、これらは目安に過ぎないので、商品化する場合には、当業者の実験計画により異なる条件でも検証することが望ましい。
【００３２】
［第３実施例］
図４は第３実施例としたパネルヒータの（ａ）正面図と、（ｂ）側面図と、（ｃ）Ｄ−Ｄ線要部拡大断面図と、（ｄ）Ｅ−Ｅ線要部拡大断面図である。
図５は図４に示したパネルヒータの要部拡大正面図である。図４、図５に示すように、本装置を装備したパネルヒータ３は、室内外に据え置いて防寒の用をなすものである。このパネルヒータ３は、フレーム３ａと、このフレーム３ａに取り付けられたヒータ３ｂから構成されている。
【００３３】
フレーム３ａは、正面方形の枠３ａ１と、この枠３ａ１を支える左右の脚３ａ２、３ａ３から構成されている。ヒータ３ｂは、石材でなる正面方形の基板３ｂ１に、ホルマル線、エナメル線等の絶縁被覆銅線３ｂ２をコイル状に巻装して構成されている。図５に示す正面コ字状またはＶ字状の切欠３ｂ１１は基板３ｂ１の上下辺に所定間隔で刻設され、この切欠３ｂ１１に絶縁被覆銅線３ｂ２を掛け止めて巻装の固定手段を形成している。
【００３４】
ブッシング３ｂ３は、通電手段である電源コード３ｂ４の根元を枠３ａ１の縁および基板３ｂ１に安全に保持している。電源コード３ｂ４の途中には図示せぬスイッチが介在し、先端には差し込みプラグがあり、商用電源に接続可能である。スペーサ３ｂ５はヒータ３ｂと、枠３ａ１との間に介在させて保持する断熱材であり安全性を高める。
【００３５】
パネルヒータ３に装着されたヒータ３ｂは、ユーザに心地良い暖かさを感じさせる必要最低限の発熱温度として１００度Ｃ近くまで上昇する。この発熱温度は消費電力により規定されるので、その消費電力Ｐとなるように電源電圧Ｖに対するヒータ３ｂの抵抗値Ｒが設定されている。そして、パネルヒータ３の広範囲に発熱させるようにヒータ３ｂが均等に配設されている。このパネルヒータ３は、横の長さ９０ｃｍ×縦の幅４５ｃｍ×厚さ４ｍｍ位の基板３ｂ１に、φ０．８ｍｍの絶縁被覆銅線３ｂ２を５ｍｍ間隔で１７０回巻装して１回路に形成されたヒータ３ｂを具備している。このヒータ３ｂに商用交流１００Ｖを供給すると、消費電力Ｐ＝約１ＫＷとなり、札幌における冬季室内に設置したパネルヒータ３の表面で１００度Ｃ近くの最適温度に安定維持されることを確認できた。ただし、これも一例に過ぎない。
【００３６】
［第４実施例］
図６は第４実施例とした融雪屋根の平面図である。
図７は図６に示した融雪屋根の要部拡大断面図であり、（ａ）Ｆ−Ｆ線要部拡大断面図、（ｂ）Ｇ−Ｇ線要部拡大断面図である。図６、図７に示すように、本装置を装備した融雪屋根４は、屋根４ａと、この屋根４ａにヒータ４ｂを配設して構成されている。
【００３７】
屋根４ａには、住宅等の軒先部分４ａ１における野地板４ａ２の上面に建築紙４ａ３、マイラーペーパー４ａ４を介してヒータ４ｂを敷設し、このヒータ４ｂの上面をマイラーペーパー４ａ４で覆い、その上面に板金材４ａ５を張設することにより融雪屋根４が構成されている。
【００３８】
ヒータ４ｂは、平面方形のベニヤ板４ｂ１に、ホルマル線、エナメル線等の絶縁被覆銅線４ｂ２をコイル状に巻装して構成されている。ベニヤ板４ｂ１の上下辺に所定間隔で正面コ字状またはＶ字状の切欠４ｂ１１が刻設され、絶縁被覆銅線４ｂ２を掛け止めて巻装の固定手段を形成している。また、図示せぬ電源コードは漏電遮断器等による周知の保護手段およびスイッチを介在し、屋内配線等により商用電源に接続されている。
【００３９】
融雪屋根４に装着されたヒータ４ｂは、融雪に必要最低限の発熱温度として乾燥時に４２度Ｃ近くまで上昇する。この発熱温度は消費電力により規定されるので、その消費電力Ｐとなるように電源電圧Ｖに対するヒータ４ｂの抵抗値Ｒが設定されている。そして、融雪屋根４の広範囲に発熱させるようにヒータ４ｂが均等に配設されている。この融雪屋根４は、長さ１８０ｃｍ×幅４５ｃｍ×厚さ４ｍｍ位のベニヤ板４ｂ１に、φ０．９ｍｍの絶縁被覆銅線４ｂ２を１ｃｍ間隔で１７０回巻装したヒータ４ｂ×３組を直列接続して１回路の集合発熱体に形成した。この集合発熱体に商用交流１００Ｖを供給すると、消費電力Ｐ＝約１．２ＫＷとなり、晴天時に屋根４ａが乾燥した状態でなら概ね４２度Ｃを維持する。この融雪屋根４を１．８０ｍ×５．４ｍの範囲に展開した実験によれば、降雪時にも継続して融雪可能であることを確認できた。ただし、これも冬季の札幌で検証した一例に過ぎない。
【００４０】
［第５実施例］
第５実施例として本装置をロードヒーティングに応用した。図示は省略するが、本装置を装備したロードヒーティングは、寒冷地における建物出入口前の道路、歩道、または駐車場等の舗装の下に埋設して、融雪または凍結防止に用いる加熱保温手段であり、浅い地下にワイヤーメッシュと、このワイヤーメッシュに保護された直下にヒータを配設して構成されている。
【００４１】
ヒータは路盤上をむらなく均等に網羅するため、コンクリートで固められた路盤の平坦面上に蛇行状に敷設されている。このような蛇行形態の展開を容易にするため、ヒータの下面を紐または網状の連結具で形状維持されている。そのようにして敷設されたヒータの上面にワイヤーメッシュを被せると共に、アスファルトモルタルで覆い、その上を表層アスファルトで覆うようにして埋設されている。
【００４２】
また、ヒータの終端に接続されて延びている電源コードは漏電遮断器等による周知の保護手段およびスイッチを介在し、ロードヒーティング用に割引契約された商用電源に接続されている。このロードヒーティングに装着されたヒータは、凍結防止および融雪に必要最低限の発熱温度として乾燥時に約２５度Ｃまで上昇する。この発熱温度は消費電力により規定されるので、その消費電力Ｐとなるように電源電圧Ｖに対するヒータの抵抗値Ｒが設定されている。そして、ロードヒーティングの広範囲に発熱させるようにヒータが均等に配設されている。
【００４３】
このロードヒーティングを、札幌における幅５．２ｍ×長さ８．１ｍの対象地で、冬季に検証実験した結果は以下のとおりである。すなわち、ホルマルガラスにより絶縁被覆されたφ１．６ｍｍの銅線により構成された発熱体を路盤の平坦面上に蛇行状に敷設した。この発熱体に商用交流１００Ｖを供給すると消費電力Ｐ＝約１．７ＫＷであった。そして、晴天時に対象地の地面が乾燥した状態で計測すれば概ね２５度Ｃを維持した。これによれば、冬季の札幌で降雪時にも継続して融雪可能であることが確認できた。
【００４４】
第１実施例〜第５実施例に共通する構成と作用効果を説明する。各実施例において、金属パイプの連結形態も含む電線状の発熱体が保温対象に装着されて本装置が構成されている。詳しくは、ホルマル線、エナメル線等の絶縁被覆銅線または絶縁被覆アルミニウム線等を発熱体に用いている。
【００４５】
この発熱体に通電手段を経由して通電することにより、ジュール熱を発生させる。このときの発熱温度は保温対象を所望の温度に保温する必要最低限に保たれるように設定されている。最高温度が低めに制限されていれば、耐熱設計が簡素に済み、やけどや火災の危険性が低下するので安全である。ちなみに、消防白書等によれば、天ぷら油の発火点は３００度以上であるため、最高温度を２２０度Ｃ以下に制限して用いる本装置は通常利用形態において火災原因になる可能性は少ない。
【００４６】
このように比較的低温の発熱体が、保温対象に近い大きさの基板を巻枠にしてコイル状に巻装されるほか、縫製その他の連結具等で形状維持しながら蛇行状に配置されていることにより、所定の発熱量を保温対象の広範囲にまんべんなく分散させることができる。
【００４７】
なお、前述の電線状の発熱体である絶縁被覆銅線または絶縁被覆アルミニウム線の耐熱温度は絶縁被覆材料により制約を受け、一般的には１２０〜２２０度Ｃが目安と考えられる。したがって、本装置の場合、前記耐熱温度の範囲内である２２０度Ｃ以下、さらに好ましくは１００度Ｃ以下で使用される。
【００４８】
このようにして、火災の心配が少ない２２０度Ｃ以下の低温で、保温対象を広範囲にまんべんなくおだやかに加熱することにより、不必要な高温がもたらす弊害は無く、発熱体と保温対象との接触部、またはユーザを含む周囲への耐熱設計を軽減できる。したがって、かさばらず簡素で安全かつ安価な電熱ヒータ装置を提供できる。
【００４９】
なお、各実施例における実験結果によれば、用途に応じて適宜通電時間を経過した各発熱体（ヒータ）または、その直近表面温度は広範囲にむらなく、ホット座布団１で４０度Ｃ、ホットカーペット２で３２度Ｃ、パネルヒータ３で１０２度Ｃ、融雪屋根４で４２度Ｃ（晴天時）、ロードヒーティングで２５度Ｃ（晴天時）と確認できた。
【００５０】
このことにより、必要最低限の低温であっても、暖房、融雪または凍結防止の目的を達成することができる。これらの実験結果の中でもパネルヒータ３のみ１０２度Ｃが確認さ、突出して高いが実用上の問題はない。ただし、本考案の技術思想によれば、これも１００度Ｃ以下に制限して設計することが好ましい。
【００５１】
本考案の技術思想は、「必要最低の温度で保温対象の広範囲をおだやかに加熱し保温することを特徴とする、簡素、安価、安全な電熱ヒータ装置」を提供することであり、その技術を応用した加熱・保温手段は、用途の別を問わず全て本考案に属するものである。
【図面の簡単な説明】
【００５２】
【図１】第１実施例としたホット座布団の（ａ）横断面図と、（ｂ）Ａ−Ａ線要部拡大断面図である。
【図２】第２実施例としたホットカーペットの分解斜視図である。
【図３】図２に示したホットカーペットの要部拡大断面図であり、その（ａ）Ｂ−Ｂ線要部拡大断面図と、（ｂ）Ｃ−Ｃ線要部拡大断面図である。
【図４】第３実施例としたパネルヒータの（ａ）正面図と、（ｂ）側面図と、（ｃ）Ｄ−Ｄ線要部拡大断面図と、（ｄ）Ｅ−Ｅ線要部拡大断面図である。
【図５】図４に示したパネルヒータの要部拡大正面図である。
【図６】第４実施例とした融雪屋根の平面図である。
【図７】図６に示した融雪屋根の要部拡大断面図であり、その（ａ）Ｆ−Ｆ線要部拡大断面図と、（ｂ）Ｇ−Ｇ線要部拡大断面図である。
【符号の説明】
【００５３】
１  ホット座布団
１ａ  座布団
１ａ１  座布団カバー
１ａ２  布団綿
１ｂ，２ｂ，３ｂ，４ｂ，５ｂ  ヒータ（本装置の電熱ヒータ）
１ｂ１，３ｂ１  基板
１ｂ２，２ｂ１，３ｂ２，４ｂ２  絶縁被覆銅線
１ｂ３，２ｂ３，３ｂ３  ブッシング
１ｂ４，２ｂ４，３ｂ４  電源コード
２  ホットカーペット
２ａ  毛布部
２ａ１，２ａ２  毛布
２ｂ２  縫合糸
２ａ３  周縁
３  パネルヒータ
３ａ  フレーム
３ａ１  枠
３ａ２，３ａ３  脚
３ｂ１１，４ｂ１１  切欠
３ｂ５  スペーサ
４  融雪屋根
４ａ  屋根
４ａ１  軒先部分
４ａ２  野地板
４ａ３  建築紙
４ａ４  マイラーペーパー
４ａ５  板金材
４ｂ１  ベニヤ板
【図１】
0003127749.tif 000003
【図２】
0003127749.tif 000004
【図３】
0003127749.tif 000005
【図４】
0003127749.tif 000006
【図５】
0003127749.tif 000007
【図６】
0003127749.tif 000008
【図７】
0003127749.tif 000009
【手続補正書】
【提出日】平成18年10月5日(2006.10.5)
【手続補正１】
【補正対象書類名】実用新案登録請求の範囲
【補正対象項目名】請求項４
【補正方法】変更
【補正の内容】
【請求項４】
ホット座布団、ホットカーペット、パネルヒータ、融雪屋根、またはロードヒーティングに用いたことを特徴とする請求項１〜３の何れか１項に記載の電熱ヒータ装置。
【手続補正２】
【補正対象書類名】明細書
【補正対象項目名】００１５
【補正方法】変更
【補正の内容】
【００１５】
請求項４に係る考案は、請求項１〜３の何れか１項に記載の電熱ヒータ装置を、ホット座布団、ホットカーペット、パネルヒータ、融雪屋根、またはロードヒーティングに用いたことを特徴とする。